(57)【要約】【課題】ケーブルの断線や電気設備の故障を防止し、配線経路の簡素化及び組立性の向上を図ると共に、施解錠制御ボタン等の配置の自由度を高める。【解決手段】本発明に係る電気錠システムは、扉１の壁面に固定されるハンドル３と、ハンドル３に回転可能に支持される操作レバー４，５と、操作レバー４，５の回転に伴って扉１の木口に対して進退可能に駆動されるラッチボルト６と、ハンドル３に設置される施解錠操作装置８と、施解錠操作装置８から送られた信号に基づいて電気的に駆動されるデッドボルト９，１０と、を備えていることを特徴とする。【選択図】図２
2013224522.tif 000002
【特許請求の範囲】
【請求項１】
扉の壁面に固定されるハンドルと、
該ハンドルに回転可能に支持される操作レバーと、
該操作レバーの回転に伴って前記扉の木口に対して進退可能に駆動されるラッチボルトと、
前記ハンドルに設置される施解錠操作装置と、
該施解錠操作装置から送られた信号に基づいて電気的に駆動されるデッドボルトと、
を備えていることを特徴とする電気錠システム。
【請求項２】
前記施解錠操作装置は、前記ハンドルの正面側に設置されるリーダによって構成されていることを特徴とする請求項１に記載の電気錠システム。
【請求項３】
前記施解錠操作装置は、リーダとスイッチとによって構成され、該リーダは前記ハンドルの正面側に設置され、前記スイッチは前記ハンドルの背面側に設置されていることを特徴とする請求項１に記載の電気錠システム。
【請求項４】
前記施解錠操作装置は、スイッチによって構成されていることを特徴とする請求項１に記載の電気錠システム。
【請求項５】
前記施解錠操作装置は、リーダと該リーダの背面側に設けられるスイッチとがユニット化されて構成されていることを特徴とする請求項１に記載の電気錠システム。
【請求項６】
前記施解錠操作装置は、前記操作レバーと重ならない位置に配置されていることを特徴とする請求項１〜５のいずれか１の請求項に記載の電気錠システム。
【発明の詳細な説明】
【技術分野】
【０００１】
本発明は、扉の木口に対して進退可能なデッドボルトを電気的に駆動させて施解錠制御する電気錠システムに関するものである。
【背景技術】
【０００２】
近年、ホテルやオフィスビル等の商業施設や公共施設の出入口、集合住宅や一般住宅のエントランスや玄関等には、セキュリティの向上や操作性の向上を目的として、ＩＣカードやタグ、キー等をリーダにかざすことにより、デッドボルトを電気的に駆動させて施解錠制御する電気錠システムが設置されることが多い。
【０００３】
従来のこの種の電気錠システムとしては、例えば、扉の壁面に回動可能に設けられるハンドルに施解錠制御ボタンを設置し、この施解錠制御ボタンを押下して電気錠を解錠した後にハンドルを回動操作することにより扉の開閉動作を行う電気錠システム等、様々な形態のものが提案されている（例えば、特許文献１〜３参照）。
【先行技術文献】
【特許文献】
【０００４】
【特許文献１】特開２００８−１５０８０２号公報
【特許文献２】特開２００８−１７４９９２号公報
【特許文献３】特開２０１０−１０９７２２号公報
【発明の概要】
【発明が解決しようとする課題】
【０００５】
しかしながら、上記した従来の電気錠システムでは、扉の開閉時に回動させるハンドルに施解錠制御ボタンが設置されており、施解錠制御ボタンに接続される電源ケーブルや通信ケーブルは必ず可動部分を通過するため、ケーブルが断線し難いように十分に配慮して配線経路を決定する必要があり、配線経路の簡素化や組立性の向上を図り難いという問題がある。
【０００６】
また、例え電源ケーブルや通信ケーブルが断線し難いように配線経路を決定したとしても、施解錠制御ボタンを設置するハンドルが回動する限り、依然として断線リスクが高いことに変わりはない。
【０００７】
さらに、ハンドル回動時の振動が施解錠制御ボタンに接続される電源ケーブルや通信ケーブル等を介して電源回路や制御回路等の電気設備に伝わり易くなるため、該電気設備が故障するリスクが高くなるという問題がある。
【０００８】
さらに、施解錠制御ボタンの操作性を高めるためには該施解錠制御ボタンの設置場所がハンドルの回動中心近傍に限定されてしまい、該施解錠制御ボタンの配置の自由度が低下するという問題もある。
【０００９】
本発明は、上記した課題を解決すべくなされたものであり、ケーブルの断線や電気設備の故障を防止し、配線経路の簡素化及び組立性の向上を図ると共に、施解錠制御ボタン等の配置の自由度を高めることのできる電気錠システムを提供することを目的するものである。
【課題を解決するための手段】
【００１０】
上記した目的を達成するため、本発明に係る電気錠システムは、扉の壁面に固定されるハンドルと、該ハンドルに回転可能に支持される操作レバーと、該操作レバーの回転に伴って前記扉の木口に対して進退可能に駆動されるラッチボルトと、前記ハンドルに設置される施解錠操作装置と、該施解錠操作装置から送られた信号に基づいて電気的に駆動されるデッドボルトと、を備えていることを特徴とする。
【００１１】
また、本発明に係る電気錠システムにおいて、前記施解錠操作装置は、前記ハンドルの正面側に設置されるリーダによって構成されていてもよい。
【００１２】
また、本発明に係る電気錠システムにおいて、前記施解錠操作装置は、リーダとスイッチとによって構成され、該リーダは前記ハンドルの正面側に設置され、前記スイッチは前記ハンドルの背面側に設置されていてもよい。
【００１３】
また、本発明に係る電気錠システムにおいて、前記施解錠操作装置は、スイッチによって構成されていてもよい。
【００１４】
また、本発明に係る電気錠システムにおいて、前記施解錠操作装置は、リーダと該リーダの背面側に設けられるスイッチとがユニット化されて構成されていてもよい。
【００１５】
また、本発明に係る電気錠システムにおいて、前記施解錠操作装置は、前記操作レバーと重ならない位置に配置されているのが好ましい。
【発明の効果】
【００１６】
本発明によれば、ケーブルの断線や電気設備の故障を防止し、配線経路の簡素化及び組立性の向上を図ると共に、施解錠操作装置の配置の自由度を高めることができる等、種々の優れた効果を得ることができる。
【図面の簡単な説明】
【００１７】
【図１】本発明の実施形態に係る電気錠システムを示す概略図である。
【図２】本発明の実施形態に係る電気錠システムのハンドルの周辺部分を示す側断面図である。
【図３】図２のＡ−Ａ断面図である。
【図４】本発明の実施形態に係る電気錠システムの変形例を示す側断面図である。
【図５】本発明の実施形態に係る電気錠システムの別の変形例を示す側断面図である。
【図６】本発明の実施形態に係る電気錠システムのさらに別の変形例を示す側断面図である。
【発明を実施するための形態】
【００１８】
以下、図面を参照しつつ、本発明の実施の形態に係る電気錠システムについて説明する。ここで、図１は本発明の実施形態に係る電気錠システムを示す概略図、図２は本発明の実施形態に係る電気錠システムのハンドルの周辺部分を示す側断面図、図３は図２のＡ−Ａ断面図である。
【００１９】
本発明の実施の形態に係る電気錠システムは、扉１の室内外の壁面にそれぞれ固定される室内側ハンドル２及び室外側ハンドル３と、該各ハンドル２，３にそれぞれ回転可能に支持される室内側操作レバー４及び室外側操作レバー５と、該各操作レバー４，５の回転に伴って扉１の木口に対してラッチボルト６が進退可能に設けられるラッチ錠７と、室外側ハンドル３に設置される施解錠操作装置８と、該施解錠操作装置８から送られる信号に基づいてデッドボルト９，１０をそれぞれ駆動させる主電気錠１１及び副電気錠１２と、扉１の内部に設けられる制御装置１３と、施解錠操作装置８と主電気錠１１及び副電気錠１２と制御装置１３に電源を供給する電源供給装置１４と、を備えて概略構成されている。
【００２０】
以下、各構成部材について順番に説明する。
【００２１】
図２に良く示されているように、室内側ハンドル２は、その上下両端部に形成される固定部１５と、各固定部１５を連結するように上下方向に延びる連結部１６と、を備えて構成されている。下側の固定部１５の下部は、ネジ１７を介して扉１に固定されており、連結部１６は室内側に僅かに湾曲して形成されている。また、上側の固定部１５の背面側（後側）には、上端から連結部１６の上下方向中央に亘る部分に、操作レバー挿入部１７が凹状に形成されており、操作レバー挿入部１７は、上下方向に長い形状を成している。
【００２２】
室内側操作レバー４は、この操作レバー挿入部１７に設けられ、室内側操作レバー４の上部には室内側ラッチバー１８が設けられている。室内側操作レバー４は、上部に設けられた回転軸１９を中心として前後方向に回転可能に設けられており、回転軸１８の外周に巻回された捩りコイルバネ２０によって後方に付勢されている。なお、室内側ラッチバー１８は後述する室外側ラッチバー２７と同様の構成を有しているため、ここでは詳細な説明を省略する。
【００２３】
室外側ハンドル３は、前記室内側ハンドル２と同様の構成を有する上下固定部２１，２２及び連結部２３の正面側に空隙２４を隔てて嵩上げ部材２５を固定して形成されており、嵩上げ部材２５は、上下固定部２１，２２及び連結部２３の表面形状に沿って湾曲して形成されている。上側の固定部２１の背面側（後側）には、上端から連結部２３の上下方向中央に亘る部分に、操作レバー挿入部２６が凹状に形成されており、操作レバー挿入部２６は、上下方向に長い形状を成している。
【００２４】
室外側操作レバー５は、この操作レバー挿入部２６に設けられ、室外側操作レバー５の上部には室外側ラッチバー２７が設けられている。室外側操作レバー５は、上部に設けられた回転軸２８を中心として前後方向に回転可能に設けられており、回転軸２８の外周に巻回された捩りコイルバネ２９によって後方に付勢されている。
【００２５】
室内側ラッチバー１８は、縦長形状のラッチバー側取付部３５と、このラッチバー側取付部３５の上部から扉１内に挿入するように延設される横長形状の突起部３６と、により構成されている。
【００２６】
図３に示されるように、ラッチ錠７は、扉１の木口６４に沿って扉１の内部に設置される錠ケース６５と、錠ケース６５の前端に配置されるラッチボルト６と、ラッチボルト６の後上方と後下方に配置される上下一対の係止片６７、６８と、各係止片６７、６８の後方に配置される一対の作動片７０、７１と、が設けられている。
【００２７】
錠ケース６５の前端は錠ケース取付板７２に固定され、錠ケース取付板７２は固定ネジ６９を介して扉１の木口６４に固定されている。錠ケース６５の前部には、ラッチボルト装着部７３が形成され、ラッチボルト６は、このラッチボルト装着部７３に水平方向回転可能に装着されており、この水平方向の回転に伴って扉１の木口６４に対して進退するようになっている。ラッチボルト６の前側部分は、扉１の木口６４の前方に突出しており、扉枠７６に設けられたストライク７７に進入している。これにより、扉枠７６に対する扉１の閉止状態（仮締まり状態）が保持される。
【００２８】
ラッチボルト６は、コイルバネ８０によって、突出方向に付勢されており、ラッチボルト６の外周には鍔部８１が設けられている。
【００２９】
各係止片６７、６８は、錠ケース６５内に収容されている。上側の係止片６７は、その前後方向中央に設けられた第１支点８２を中心に回転可能となっている。上側の係止片６７の前端部には、下方に向かって係止突起８３が設けられ、この係止突起８３がラッチボルト６の鍔部８１に係止している。上側の係止片６７の後端部には、上方に向かって被押圧部８４が突設されている。上側の係止片６７には、連結腕部８５が下方に向かって突設され、連結腕部８５の下端には係合突起８６が設けられている。
【００３０】
下側の係止片６８は、その前後方向中央に設けられた第２支点８７を中心に回転可能となっている。下側の係止片６８の前端部には、上方に向かって係止突起８８が設けられ、この係止突起８８によってラッチボルト６の鍔部８１が係止されている。下側の係止片６８の後端部には、下方に向かって被押圧部９０が突設されている。下側の係止片６８には、連結腕部９１が上方に向かって突設され、連結腕部９１の上端には係合穴９２が設けられている。この係合穴９２が上側の係止片６７の係合突起８６と係合することで、リンク９３が形成されている。第２支点８７の周りには付勢バネ８９が巻回され、この付勢バネ８９によって、各係止片６７、６８がラッチボルト６を係止する姿勢（図３の実線参照）に付勢されている。
【００３１】
各作動片７０、７１は、上下動可能な状態で錠ケース６５内に収容されている。一方の作動片７０の上端には、上側の係止片６７の被押圧部８４と当接する押圧部９４が設けられている。一方の作動片７０の下端には、各ラッチバー１８，２７と当接する当接部９５が設けられている。他方の作動片７１の下端には、下側の係止片６８の被押圧部９０と当接する押圧部９６が設けられている。他方の作動片７１の上端には、当接部９７が設けられている。
【００３２】
上記の如く構成されたものにおいて、扉１を開放するために室外側ハンドル３を把持して、室外側操作レバー５を前方に押圧操作すると、室外側操作レバー５が回転軸２８を中心に前方に回転し、室外側操作レバー５に固定された室外側ラッチバー２７が回転し、室外側ラッチバー２７の突起部３６が下方に移動する。
【００３３】
このように室外側ラッチバー２７の突起部３６が下方に移動すると、突起部３６によって一方の作動片７０の当接部９５が下方に押圧され、図３に二点鎖線で示されるように、一方の作動片７０が下方に移動する。これに伴って、一方の作動片７０の押圧部９４が上側の係止片６７の被押圧部８４を下方に押圧し、付勢バネ８９の付勢力に抗して上側の係止片６７が回転する。この回転により、上側の係止片６７の係止突起８３によるラッチボルト６の係止が解除される。また、上側の係止片６７の回転に伴って、上側の係止片６７とリンク９３を介して接続された下側の係止片６８も、付勢バネ８９の付勢力に抗して回転し、下側の係止片６８の係止突起８８によるラッチボルト６の係止が解除される。これにより、ラッチボルト６が扉１の木口６４から退避可能となる。
【００３４】
なお、室内側ハンドル２の室内側操作レバー４を押圧操作した場合の作用は、室外側ハンドル３を押圧操作した場合の作用と同様であるため、説明を省略する。
【００３５】
再び、図２に戻ると、施解錠操作装置８は、嵩上げ部材２５の上部に形成された開口３０に正面側から嵌着されるリーダ３１と、連結部２３の背面側に設置されるスイッチ３２と、を備えている。リーダ３１やスイッチ３２に対する電源ケーブルや通信ケーブルは、空隙２４を利用して配設される（図２の破線参照）。
【００３６】
リーダ３１としては、例えば、FeliCa（登録商標）等の非接触型ＩＣカード、キーヘッド、タグや、指で接触するタッチキー、テンキー、指紋等の生体認証式等、各種タイプのリーダを使用することができる。また、スイッチ３２としては、例えば、押しボタン式、静電容量式等、各種タイプのスイッチを使用することができる。
【００３７】
図１に示されているように、主電気錠１１は、ラッチ錠７の上方において扉１の木口６４に沿うように扉１の内部に設けられており、扉１の木口６４（図３参照）に対して進退するようにデッドボルト９を駆動制御するモーターやソレノイド等の駆動機構を備えて構成されている。また、主電気錠１１は、デッドボルト９を手動で操作可能なように、扉１の室内側にサムターン（図示省略）を備えていると共に扉１の室外側にシリンダ錠３３を備えている。
【００３８】
副電気錠１２は、ラッチ錠７の下方において扉１の木口６４（図３参照）に沿うように扉１の内部に設けられており、扉１の木口６４に対して進退するようにデッドボルト１０を駆動制御するモーターやソレノイド等の駆動手段（図示省略）を備えて構成されている。また、主電気錠１１と同様に、副電気錠１１は、デッドボルト１０を手動で操作可能なように、扉１の室内側にサムターン（図示省略）を備えていると共に扉１の室外側にシリンダ錠３４を備えている。
【００３９】
制御装置１３は、主電気錠１１の上方において扉１の内部に設けられており、ＣＰＵやＲＯＭ、ＲＡＭ等を有するマイクロコンピュータにより構成され、施解錠操作装置８からの認証情報が正しい認証情報であるか否かを判別する機能等を有している。
【００４０】
電源供給装置１４は、扉１の外部に配置されており、扉１の吊元に設置される通電金具４０や扉１の内部に配線される電源ケーブル４１を介して、施解錠操作装置８、主電気錠１１、副電気錠１２、制御装置１３等、扉１に設置される電気錠システムを構成する各構成機器に電源を供給するようになっている。
【００４１】
次に、上記した構成を備えた本発明の実施の形態に係る電気錠システムの動作について説明する。
【００４２】
先ず、室外側から入室しようとする者が室外側ハンドル２を把持して指でスイッチ３２を押圧操作すると、スイッチ３２から制御装置１３に送られた信号に基づいて電源装置１４から通電金具４０及び電源ケーブル４１を介してリーダ３１に電源が供給される。
【００４３】
次いで、例えばFeliCa（登録商標）等の非接触型ＩＣカードがリーダ３１にかざされると、リーダ３１から認証情報が制御装置１３に送信され、制御装置１３では、受信した該認証情報が予め記憶されている特定の認証情報と合致するか否かが判別される。
【００４４】
この結果、前記受信した認証情報が前記特定の認証情報と合致していると制御装置１３によって判別されると、制御装置１３から主電気錠１１に対して解錠信号が出力され、主電気錠１１では、該解錠信号に基づき、前記駆動手段に対して駆動信号が出力されて解錠される。
【００４５】
これに対して、前記受信した認証情報が前記特定の認証情報と合致しないと制御装置１３によって判別された場合には、制御装置から主電気錠１１に解錠信号が出力されず、主電気錠１１において錠の解錠は行われない。
【００４６】
また、上記したように主電気錠１１が解錠されると、制御装置１３から副電気錠１２に対して解錠信号が出力され、副電気錠１２では、該解錠信号に基づき、前記駆動手段に対して駆動信号が出力され、副電気錠１２は主電気錠１１と連動して解錠される。
【００４７】
上記したように本発明の実施の形態に係る電気錠システムによれば、施解錠操作装置８が扉１に固定される室外側ハンドル３に設置されているため、施解錠操作装置８に接続される電源ケーブルや通信ケーブルが断線し難い。そのため、断線リスクを配慮することなく配線経路を決定することができ、配線経路の簡素化や組立性の向上を図ることが可能となる。
【００４８】
また、室外側ハンドル３を回動させた時の振動が施解錠操作装置８に接続される電源ケーブルや通信ケーブル等を介して制御装置１３等の電気設備に伝わることがないため、該電気設備が故障するリスクを低下させることができる。
【００４９】
さらに、室外側ハンドル３の任意の場所に施解錠操作装置８を配置することができ、配置の自由度を高めることができると共に、施解錠操作装置８の操作性の向上を図ることができる。
【００５０】
なお、上記した本発明の実施の形態では、施解錠操作装置８として、室外側ハンドル３にリーダ３１とスイッチ３２を設け、スイッチ３２を操作してからリーダ３１にＩＣカードをかざす場合について例示して説明したが、本発明はこの形態に限定されるものではない。
【００５１】
すなわち、図４に示すように、施解錠操作装置８として、室外側ハンドル３にリーダ３１のみを設置したり、或いは、特に図示しないが、リーダ３１を扉１以外の場所に設置した上で室外側ハンドル３にスイッチのみを設置したり、或いは、リーダ３１をどこにも設置することなく室外側ハンドル３にスイッチのみを設置したりすることもできる。
【００５２】
また、上記した実施の形態における構成と同様に、施解錠操作装置８として、室外側ハンドル３にリーダ３１とスイッチ３２を設けた上で、上記した実施の形態の動作とは反対に、リーダ３１にＩＣカードをかざして認証がなされた後、スイッチ３２を操作して電気錠１１，１２を解錠するように構成することもできる。
【００５３】
さらに、図５に示すように、施解錠操作装置８としてリーダ３１を操作レバー５と重ならないように嵩上げ部材２５の下部に設置することもできる。これにより、施解錠操作装置８やそのケーブルを操作レバー５と干渉させずに効率よく配置することができ、室外側ハンドル３のコンパクト化を図ることができる。
【００５４】
或いは、図６に示すように、リーダ３１とスイッチ３２とを制御基板を内設した制御ボックス３７を介してユニット化した上で、操作レバー５と重ならないように嵩上げ部材２５の下部に施解錠操作装置８を設置することもできる。このように、リーダ３１とスイッチ３２をユニット化することにより、施解錠操作装置８の取付けを効率よく行うことができる。また、操作レバー５と重ならないように施解錠操作装置８を設置することにより、施解錠操作装置８やそのケーブルを操作レバー５と干渉させずに効率よく配置することができ、室外側ハンドル３のコンパクト化を図ることができる。
【００５５】
さらに、上記した実施の形態では、制御装置１３を主電気錠１１及び副電気錠１２と別の位置に設置しているが、これは単なる例示に過ぎず、制御装置１３を設置する代わりに、該制御装置１３の機能を主電気錠１１と副電気錠１２とにそれぞれ分散させてもたせる等、各種変更が可能である。
【００５６】
さらにまた、電源装置１４を扉１に設置したり、又は、外部に設置した電源装置１４からの電源取り込み箇所を扉１の吊元ではなく、木口側としたりする等、各種変更が可能である。
【００５７】
このように上記した本発明の実施の形態の説明は、本発明に係る電気錠システムにおける好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００５８】
１          扉
３          室外側ハンドル
４，５      操作レバー
６          ラッチボルト
８          施解錠操作装置
９，１０    デッドボルト
３１        リーダ
３２        スイッチ
６４        木口
【図１】
2013224522.tif 000003
【図２】
2013224522.tif 000004
【図３】
2013224522.tif 000005
【図４】
2013224522.tif 000006
【図５】
2013224522.tif 000007
【図６】
2013224522.tif 000008